(57)【要約】【課題】  紙葉類を方面毎に区分する区分箱に集積する装置において、この区分箱から所定の抜取回数毎に紙札を発行することによって紙葉類の抜き取り操作完了の認識を行い、その抜き取った紙葉類をまとめたケース毎の通数管理が可能な紙葉類区分装置を提供する。【解決手段】  本発明の紙葉類区分装置は、紙葉類を集積する区分箱と、この区分箱に集積された前記紙葉類の満杯を検知する集積検知手段と、前記区分箱の中の紙葉類の状態を表示する状態表示ランプとを有する。そして、前記区分箱が満杯になったとき前記状態表示ランプを点滅して操作員に抜取処理（紙葉類の抜き取りと、抜取確認・紙札発行ＳＷの押下）を促す。操作員がおこなった抜取処理が設定回数に達すると前記状態表示ランプを点灯して操作員に紙札出力を促す。発行された紙札は前記紙葉類と共に特定方面別ケースに収納される。【選択図】  図７
2005161240.tif 000002
【特許請求の範囲】
【請求項１】
区分先が記入された紙葉類を搬送する搬送手段と、
前記紙葉類に記入された区分先を示す情報を読み取り認識する認識手段と、
この認識手段の認識結果に基づいて前記紙葉類を区分集積する区分箱と、
この区分箱に前記紙葉類が集積され、この集積された前記紙葉類が所定量達したかを検知する集積検知手段と、
この集積検知手段によって前記区分箱に前記紙葉類が所定量集積されたときに通知するために第１の表示を行う通知手段と、
この通知手段により通知された際、前記区分箱から前記紙葉類が抜き取られたことを検知する抜取検知手段と、
この抜取検知手段により前記紙葉類が抜き取られた回数が所定回数に達したときに前記通知手段が第２の表示を行い、この第２の表示により通知された際、紙札を発行する紙札発行手段と
を有することを特徴とする紙葉類区分装置。
【請求項２】
区分先が記入された紙葉類を供給する供給手段と、
この供給手段により供給される前記紙葉類に記入された区分先を示す情報を読み取り認識する認識手段と、
この認識手段の認識結果に基づいて前記紙葉類を区分集積する区分箱と、
この区分箱に前記紙葉類が集積され、この集積された前記紙葉類が所定量達したかを検知する集積検知手段と、
この集積検知手段によって前記区分箱に前記紙葉類が所定量集積されたときに通知するために第１の表示を行う通知手段と、
この通知手段により通知された際、前記区分箱から前記紙葉類が抜き取られたことを検知する抜取検知手段と、
この抜取検知手段により前記紙葉類が抜き取られた回数が所定回数に達したときに前記通知手段が第２の表示を行い、この第２の表示により通知された際、紙札を発行する紙札発行手段と、
前記供給手段による前記紙葉類の供給を終了する供給終了手段と、
この供給終了手段によって前記紙葉類の供給が終了したとき、
前記通知手段が消灯しているときに前記区分箱に集積された前記紙葉類を処理する第１の処理手段と、
前記通知手段が第１の表示をしているときに前記区分箱に集積した前記紙葉類を処理する第２の処理手段と、
前記通知手段が第２の表示をしているときに前記区分箱に集積した前記紙葉類を処理する第３の処理手段と、
を有することを特徴とする紙葉類区分装置。
【請求項３】
前記通知手段は、
前記区分箱の近傍に配置されて目視確認可能な表示器を有し、
前記区分箱に前記紙葉類が所定量集積されたときに前記第１の表示であるところの前記表示器を点滅し、当該紙葉類が抜き取られたとき当該表示器を消灯し、
前記紙葉類が前記区分箱から抜き取られた抜取回数が所定回数に達したときに前記第２の表示であるところの前記表示器を点灯し、前記紙札発行手段によって紙札が発行されたときに当該表示器を消灯することを特徴とする請求項１又は請求項２記載の紙葉類区分装置。
【請求項４】
前記第１の処理手段は、
前記供給終了手段による前記紙葉類の供給終了時、
直前の前記区分箱からの抜き取り操作後に当該区分箱に集積した前記紙葉類がある場合、前記通知手段によって前記第１の表示であるところの前記表示器を点滅し、当該区分箱に前記紙葉類がない場合に前記供給終了手段を終了することを特徴とする請求項２記載の紙葉類区分装置。
【請求項５】
前記第２の処理手段は、
前記供給終了手段による前記紙葉類の供給終了時、
すでに前記集積検知手段によって前記紙葉類が所定量に達している場合、当該紙葉類を抜き取り後に前記抜取確認手段が実行され、かつ、この抜取回数が設定回数に達したとき、又は、前記特定方面毎に区分された前記区分箱に集積された前記紙葉類の抜き取りが当該区分箱からの最終抜き取りで、かつ、抜取確認手段が実行されたとき、
前記通知手段によって点滅中の前記表示器を点灯し、かつ、前記紙札発行機から前記紙札を発行して前記供給終了手段を終了することを特徴とする請求項２記載の紙葉類区分装置。
【請求項６】
前記第３の処理手段は、
前記供給終了手段による前記紙葉類の供給終了時、
すでに紙札発行手段待ち状態であるところの前記通知手段による前記表示器点灯中に、前記紙札発行手段が実行されたとき、前記紙札を発行し、かつ、前記通知手段による当該表示器を消灯することを特徴とする請求項２記載の紙葉類区分装置。
【発明の詳細な説明】
【技術分野】
【０００１】
本発明は、紙葉類の通数管理ができる紙葉類区分装置に関する。
【背景技術】
【０００２】
従来の紙葉類区分装置では、認識部によって判読した結果により、あらかじめ特定方面別に指定された区分箱に区分する。区分箱に集積することができる通数は区分箱のサイズで決まり、集積できる限界の通数に近づいた場合には、区分箱に設置されている満杯検知センサが感知して、ランプ表示、画面表示、アラーム音及び取出停止などのような警告通知により、操作員に抜き取りを指示していた。この警告通知の発生時や運用終了時に、操作員は区分箱から集積紙葉類の抜き取りを行う。満杯検知センサの解除により、該当区分箱への集積が再開可能になる。
【０００３】
また、区分箱の紙札発行ＳＷ（スイッチ）を押下すると、該当区分箱の特定方面名や区分箱番号など、あらかじめ区分箱毎に登録済みの文字列を印字した紙札を発行する。操作員は抜き取り済みの紙葉類を収納する特定方面別のケースが一杯になったとき、紙札発行スイッチを押下して紙札を発行して特定方面別のケースに添付することにより、抜き取り済み紙葉類の管理を行っていた（例えば、特許文献１参照。）。
【特許文献１】特開平１１−３３４９６号公報  （第１頁、図２）
【発明の開示】
【発明が解決しようとする課題】
【０００４】
しかしながら、特許文献１記載の郵便物読取区分機では、操作員の抜き取り操作完了の認識を行っていないため、抜き取り操作が完了していない区分箱のチェックや、抜き取り時の通数データ出力などの通数管理ができないという問題があった。
【０００５】
また、運用上最終的な紙葉類の管理は抜き取り後に移された特定方面別ケース単位で行われるが、紙葉類区分装置から特定方面別ケースの通数を管理するための紙札発行は、操作員が目視によりケースの収納状況を判断して発行タイミングを決めなければならないと共に、収納通数データなどケース管理に必要なデータを出力することができなかった。
【０００６】
本発明は上記問題を解決するためになされたもので、操作員による抜き取り操作完了の認識を行えると共に通数管理ができる紙葉類区分装置を提供することを目的とする。
【課題を解決するための手段】
【０００７】
上記目的を達成するために、請求項１記載の紙葉類区分装置は、区分先が記入された紙葉類を搬送する搬送手段と、前記紙葉類に記入された区分先を示す情報を読み取り認識する認識手段と、この認識手段の認識結果に基づいて前記紙葉類を区分集積する区分箱と、
この区分箱に前記紙葉類が集積され、この集積された前記紙葉類が所定量達したかを検知する集積検知手段と、この集積検知手段によって前記区分箱に前記紙葉類が所定量集積されたときに通知するために第１の表示を行う通知手段と、この通知手段により通知された際、前記区分箱から前記紙葉類が抜き取られたことを検知する抜取検知手段と、この抜取検知手段により前記紙葉類が抜き取られた回数が所定回数に達したときに前記通知手段が第２の表示を行い、この第２の表示により通知された際、紙札を発行する紙札発行手段と
を有することを特徴とする。
【０００８】
さらに、請求項２記載の紙葉類区分装置は、区分先が記入された紙葉類を供給する供給手段と、この供給手段により供給される前記紙葉類に記入された区分先を示す情報を読み取り認識する認識手段と、この認識手段の認識結果に基づいて前記紙葉類を区分集積する区分箱と、この区分箱に前記紙葉類が集積され、この集積された前記紙葉類が所定量達したかを検知する集積検知手段と、この集積検知手段によって前記区分箱に前記紙葉類が所定量集積されたときに通知するために第１の表示を行う通知手段と、この通知手段により通知された際、前記区分箱から前記紙葉類が抜き取られたことを検知する抜取検知手段と、
この抜取検知手段により前記紙葉類が抜き取られた回数が所定回数に達したときに前記通知手段が第２の表示を行い、この第２の表示により通知された際、紙札を発行する紙札発行手段と、前記供給手段による前記紙葉類の供給を終了する供給終了手段と、この供給終了手段によって前記紙葉類の供給が終了したとき、前記通知手段が消灯しているときに前記区分箱に集積された前記紙葉類を処理する第１の処理手段と、前記通知手段が第１の表示をしているときに前記区分箱に集積した前記紙葉類を処理する第２の処理手段と、前記通知手段が第２の表示をしているときに前記区分箱に集積した前記紙葉類を処理する第３の処理手段とを有することを特徴とする。
【発明の効果】
【０００９】
本発明によれば、操作員によって区分箱から所定の抜取回数毎に紙札を発行することによって紙葉類の抜き取り操作完了の認識を行うことができるので、その抜き取った紙葉類をまとめたケース毎の通数管理をすることができる。
【発明を実施するための最良の形態】
【００１０】
以下、図面を参照して本発明の実施例を説明する。
【実施例】
【００１１】
図１は、本発明の実施例によるダイレクトメールなど郵便物を区分する紙葉類区分装置の搬送経路を示す図である。この紙葉類区分装置は、搬送路（図示しない）、読取部、バーコード印刷・読取部及び区分部１１から構成される。
【００１２】
上記搬送路（搬送手段）は、供給部（供給手段）２から供給された郵便物を読取部、バーコード印刷・読取部及び区分部１１に搬送する。
【００１３】
上記読取部は、供給部２から供給されて搬送される郵便物の区分情報を読み取るもので、異物・硬さ・金属検知部３、異物在中郵便物等排除部４、整位部５、２枚取り検知部６、搬送姿勢不良郵便物排除部７及び読取部８を有して構成される。
【００１４】
異物・硬さ・金属検知部３は、供給された郵便物に混入された異物を検知するものである。異物が検知されなかった郵便物は整位部５に搬送され、異物が検知された郵便物は異物在中郵便物等排除部４に排除される。
【００１５】
整位部５は、上記供給部２から供給されたときに発生したずれやスキューした郵便物の搬送状態を整位する。整位された郵便物は、２枚取り検知部６に搬送される。
【００１６】
２枚取り検知部６は、郵便物の２枚取りなど搬送姿勢が設定値を超えた搬送姿勢不良郵便物を検知する。検知された搬送姿勢不良郵便物は、搬送姿勢不良郵便物排除部７に排除される。搬送姿勢が設定値以内である郵便物は、読取部８に搬送される。
【００１７】
読取部８は、郵便物の第１面に印刷された区分先を示す情報を読み取り認識する。この認識結果に基づき特定方面別に区分された区分箱に集積される。
【００１８】
上記バーコード印刷・読取部は、上記読取部で郵便物の第１面に印刷された区分先を示す情報を読み取り認識した結果に基づき郵便物の第１面にＩＤコードあるいは機械コードを印刷するバーコード印字部９、及びこのバーコード印字部９で印字されたバーコードを読み取り認識するバーコード読取部１０を有して構成される。
【００１９】
上記区分部１１は、区分先を示す情報を認識する読取部８又はバーコード読取部１０による認識の結果に基づき郵便物を区分して集積するもので、区分箱１２及び紙札発行機３０を有して構成される。
【００２０】
次に、図２を参照して区分部１１の区分箱１２の説明を行う。この区分箱１２は、区分箱パネル１３、液晶表示器１４、状態表示ランプ１５、抜取確認・紙札発行ＳＷ１６、満杯検知センサ１７（集積検知手段）及び集積部２０を有して構成されている。液晶表示器１４、状態表示ランプ１５及び抜取確認・紙札発行ＳＷ１６は、区分箱パネル１３上に配置されている。
【００２１】
区分箱１２は、特定方面毎に区分された区分先毎に対応して１個〜数個設けられ、本実施例の紙葉類区分装置では数百個配置される。
【００２２】
通知手段は、状態表示ランプ（表示器）１５を点滅、点灯及び消灯の３状態に変化することによって操作員に通知を行う。
【００２３】
この状態表示ランプ１５は、通常運用時、上記満杯検知センサ１７が区分箱１２の満杯を検知した場合に点滅する（第１の表示）。そして、この状態表示ランプ１５が点滅している当該区分箱１２の郵便物を操作員が抜き取ることによって当該満杯検知センサ１７が紙葉類が抜き取られたことを検知する（抜取検知手段）。郵便物の抜取完了が操作員によって目視確認され、抜取確認・紙札発行ＳＷ（抜取確認手段）１６が押下されることによって、状態表示ランプ１５の消灯動作が行われると共に、当該区分箱１２への集積が再開可能になる。なお、上記操作員は必ず抜取確認・紙札発行ＳＷ１６を押下することとする。
【００２４】
また、特定方面毎の抜取回数が、設定された回数に達した場合、上記状態表示ランプ１５を点灯する（第２の表示）。このときに抜取確認・紙札発行ＳＷ１６を押すことにより（抜取確認手段）、図３に示す紙札発行機３０から抜き取り通数に関する紙札４０が発行され（紙札発行手段）、上記状態表示ランプ１５が消灯する。
【００２５】
なお、上記第１表示である状態表示ランプ１５の点滅動作と第２の表示である状態表示ランプ１５の点灯動作は、図２の状態表示ランプ１５に示すように１個の表示ランプを用いて表示方法を点滅と点灯とを区別する方法と、第１の表示と第２の表示で２個の状態表示ランプを個別に使用する方法がある。本実施例では１個の表示ランプを用いて点滅動作と点灯動作を行う場合を示している。
【００２６】
次に、図３を参照して紙札発行機３０及び図４に示す紙札４０の説明を行う。図４に示す紙札４０には以下に示す情報が印字される。
【００２７】
集積した郵便物の特定方面名４１：２１００００２川崎市内特別郵便
本紙札により管理される該当方面の郵便物通数４２：今回通数  ４０
該当方面の全郵便物通数４３：区分通数  ９３０
紙札発行回数４４：紙札発行回数  ２
最後に抜き取った通数４５：（４０）
日時４６：０８月１９日２０：２４
区分機管理番号４７：１９９７
押下した紙札発行ＳＷの区分箱番号４８：Ｄ−０８
上記、紙札４０を発行する抜取回数は抜き取り後、特定方面別に管理される特定方面別ケースのサイズに合わせて設定されており、発行した紙札４０とそれまでに抜き取った郵便物をまとめたケースに添付して通数管理する。特定方面別ケースは一定の大きさで、最終的な郵便物の管理は、抜き取り後に移された特定方面別ケース単位で行われる。
【００２８】
次に、図２乃至図５を参照して満杯発生から抜取操作完了までのフローチャートを説明する。
【００２９】
なお、以下の処理は図示しない制御部のＣＰＵによって制御される。
【００３０】
郵便物が区分箱１２に満杯になると満杯検知センサ１７がこれを検知し（集積検知手段）、状態表示ランプ１５を点滅し、操作員に区分箱が満杯であることを通知する（第１の表示）（Ｓ１）。
【００３１】
操作員によって郵便物が抜き取られて満杯解除となり、「抜取確認・紙札発行ＳＷ」１６が押下されるまで当該区分箱１２への新たな郵便物の集積を禁止する（Ｓ２のＮｏ）。ここで、操作員によって「抜取処理」が行われると抜取回数が設定回数と比較される（Ｓ３）。
【００３２】
なお、「抜取処理」とは、操作員によって区分箱から郵便物が抜き取られ、かつ、「抜取確認・紙札発行ＳＷ」１６を押下する（抜取確認手段）までの一連の処理のことである。
【００３３】
もし抜取回数が設定回数に達した場合は（Ｓ３のＹｅｓ）、状態表示ランプ１５が点灯する（第２の表示）（Ｓ４）。一方、抜取回数が設定回数に達していない場合は紙札の発行を行わないため、ステップＳ７以降の処理を行う。
【００３４】
操作員が状態表示ランプ１５の点灯を確認し、「抜取確認・紙札発行ＳＷ」１６を押下すると（Ｓ５のＹｅｓ）、紙札発行機３０から紙札４０が発行される（紙札発行手段）（Ｓ６）。また、状態表示ランプ１５が消灯する（Ｓ７）。
【００３５】
なお、上記「抜取確認・紙札発行ＳＷ」１６は抜取確認のために押下するスイッチ（ＳＷ）機能と、紙札発行のために押下するスイッチ機能の両方の機能を兼ねている。さらに、「抜取確認・紙札発行ＳＷＳＷ」１６は、区分箱と同数配置されているが、紙札発行機３０は配達区分であるところの特定方面別区分箱のグループ毎に１個配置される。実施例では区分箱４８個に紙札発行機３０が１個の割合で配置されている。
【００３６】
次に、図６、図７を参照して郵便物の供給終了時の動作を説明する。図６は、紙葉類区分装置本体（図示しない）のオペレートパネルの配置図で、タッチパネルなどで構成され、画面にタッチすることによって操作員による入力が可能である。この画面では、供給終了ボタン４９及び通数クリアボタン５０が表示され、操作員は、郵便物の供給を終了する際に、この供給終了ボタン４９を押下する。このとき、各区分箱１２の抜き取り操作後に集積した郵便物が存在する区分箱１２の状態表示ランプ１５を点滅する。操作員は、この点滅によって抜き取りが完了していない区分箱１２が何処にあるかを知ることができる。また、通数クリアボタン５０は、このボタンを押下することによって通数をクリアすることができる。
【００３７】
図７は、供給終了ボタン押下から抜き取り操作完了までの処理を示すフローチャートである。供給終了ボタン４９押下時、上記区分箱１２の状態表示ランプ１５の状態によって、消灯中に上記区分箱１２に集積された紙葉類を処理する第１のモード手段、点滅中に上記区分箱１２に集積された紙葉類を処理する第２のモード手段、点灯中に上記区分箱１２に集積された紙葉類を処理する第３のモード手段に分けられる。
【００３８】
第１のモード（第１の処理手段）は、状態表示ランプ１５が消灯中の場合で、区分箱１２の残留郵便物を確認するモードである。従って、区分箱１２に前回抜き取り操作後に集積した郵便物が存在する場合には、操作員による郵便物の「抜取処理」を促すために状態表示ランプ１５を点滅する（Ｓ１４のＹｅｓ〜Ｓ１５）。また、集積した郵便物が存在しない場合には、操作員による「抜取処理」が必要ないため抜き取り操作完了となる（Ｓ１４のＮｏ）。なお、「抜取処理」とは、操作員が区分箱から郵便物を抜き取り、かつ、「抜取確認・紙札発行ＳＷ」１６を押下する一連の処理のことである。
【００３９】
第２のモード（第２の処理手段）は、状態表示ランプ１５が点滅中の場合で、操作員に「抜取処理」を促すモードである。従って、「抜取処理」が終了するまでは新たな郵便物の集積を禁止して待機する（Ｓ１１のＮｏ）。「抜取処理」が終了すると（Ｓ１１のＹｅｓ）、抜取回数が設定された回数に達したか、又は特定方面の最終抜き取りの場合（Ｓ１２のＹｅｓ）、操作員による紙札発行を促すために状態表示ランプ１５を点灯する（第２の表示）（Ｓ１３）。
【００４０】
第３のモード（第３の処理手段）は、状態表示ランプ１５が点灯中の場合で、操作員に紙札発行を促すモードである。
【００４１】
操作員が状態表示ランプ１５の点灯を確認し、「抜取確認・紙札発行ＳＷ」１６を押下すると（Ｓ１６）紙札発行機３０から紙札４０が印刷されて出力される（紙札発行手段）（Ｓ１７）。そして、状態表示ランプ１５は消灯する（Ｓ１８）。以上で供給終了ボタン押下後の抜取操作が完了する。
【００４２】
次に、上記抜取操作完了した郵便物が紙札と共にケースに収納されて管理されるときの区分箱及び制御部内部データ構造の一例を図１、図４及び図８を参照して説明する。制御部内部データ構造は、区分箱１２に付与した区分箱番号に対する特定方面情報と個別区分箱情報からなる。
【００４３】
図１に示す区分箱１２は図８に示すように区分箱番号Ａ−０１、Ｂ−０１、Ｃ−０１・・・によって区分される。
【００４４】
特定方面名４１とは、区分された郵便物の配達方面を示す名称で、この場合、２１００００２川崎市内特別郵便（図４参照）となる。従って、この特定方面に区分箱番号Ａ−０１、Ｂ―０１、Ｃ―０１で示される３個の区分箱１２が用いられている。この区分箱１２は通常郵便物を４０通入れると満杯になる。
【００４５】
この満杯になった郵便物を例えばケース１に収納する。ケース１は４００通まで収納できるため、満杯になった区分箱１２から郵便物を抜き取りケース１に収納する作業を１０回繰り返すとケース１が満杯になる。
【００４６】
紙札発行する抜取回数設定５１は、上記抜取回数を設定したもので、この場合１０に設定される。
【００４７】
区分通数４３は、区分箱番号Ａ−０１、Ｂ―０１、Ｃ―０１で示される３個の区分箱に集積された郵便物の通数で、この場合９３０通となっている。この区分通数４３ａは、Ａ−０１、Ｂ―０１、Ｃ―０１で示される３個の各区分箱番号毎の通数を示しており、Ａ−０１が４４０通、Ｂ−０１が２５０通、Ｃ−０１が２４０通で、合計すると９３０通になる。
【００４８】
抜取完了通数５２は、個別区分箱情報の抜取完了通数５２ａに示す各区分箱番号毎の合計値で８８０通となる。この抜取完了通数５２ａは、Ａ−０１、Ｂ―０１、Ｃ―０１で示される３個の各区分箱番号毎の通数を示しており、Ａ−０１が４００通、Ｂ−０１が２４０通、Ｃ−０１が２４０通で、合計すると８８０通になる。
【００４９】
抜取回数５４は、区分箱番号Ａ−０１、Ｂ−０１、Ｃ−０１で示される３個の区分箱から「抜取処理」を行った回数の合計である。この「抜取処理」が全て４０通ずつ行われた場合の各区分箱の抜取回数は下式（１）乃至（３）で算出され、その合計値は下式（４）で示す値になる。
【００５０】
区分箱番号Ａ−０１の抜取回数：４００／４０＝１０・・・（１）
区分箱番号Ｂ−０１の抜取回数：２４０／４０＝６・・・・（２）
区分箱番号Ｃ−０１の抜取回数：２４０／４０＝６・・・・（３）
抜取回数５４：１０＋６＋６＝２２・・・・・・・・・・・（４）
紙札発行回数４４は、紙札４０を発行した回数である。抜取回数５４が２２で、紙札発行する抜取回数設定５１が１０であるから、１０回抜き取られる毎に１回紙札を発行する。このときの紙札発行回数４４を下式（５）に示すように２となる。
【００５１】
紙札発行回数４４：２２÷１０＝２余り２・・・・・・・・・（５）
紙札発行完了通数５３は、紙札を発行して管理済みになっている通数で、この場合８００通数である。例えば、「抜取処理」が全て４０通ずつであれば下式（６）によって算出される。
【００５２】
紙札発行完了通数５５：４０×１０×２＝８００・・・・・・（６）
集積有無５５は、区分箱番号Ａ−０１に４０通あるため集積有無「有」で、かつ満杯であるため状態表示ランプ１５が点滅する。区分番号Ｂ−０１に１０通あるため集積有無「有」であるが満杯でないため状態表示ランプ１５は消灯状態となる。また、区分番号Ｃ−０１は０通であるため集積有無「無」で状態表示ランプ１５は消灯状態となる。
【００５３】
以上述べたように本実施例によれば、特定方面別区分箱から紙葉類を抜き取る回数が設定値に達する毎に、操作員の操作によって紙札を発行することによって紙葉類の抜き取り操作完了の認識を行うことができるので、その抜き取った紙葉類をまとめたケース毎の通数管理をすることができる。
【図面の簡単な説明】
【００５４】
【図１】本発明の実施例による紙葉類区分装置の搬送経路を示す図。
【図２】本発明の実施例による区分箱の外観図。
【図３】本発明の実施例による紙札発行機の外観図。
【図４】本発明の実施例による紙札の外観図。
【図５】満杯発生から抜き取り操作完了までの処理を示すフローチャート。
【図６】本発明の実施例によるオペレートパネルの配置図。
【図７】供給終了ボタン押下から抜き取り操作完了までの処理を示すフローチャート。
【図８】本発明の実施例による郵便物が紙札と共にケースに収納されて管理されるときの区分箱及び制御部内部データ構造を説明する図。
【符号の説明】
【００５５】
２  供給部
３  異物・硬さ金属検知部
４  異物在中郵便物等排除部
５  整位部
６  ２枚取り検知部
７  搬送姿勢不良郵便物排除部
８  読取部
９  バーコード印刷部
１０  バーコード読取部
１１  区分部
１２  区分箱
１５  状態表示ランプ
１６  抜取確認・紙札発行ＳＷ
１７  満杯検知センサ
３０  紙札発行機
４０  紙札
【図１】
2005161240.tif 000003
【図２】
2005161240.tif 000004
【図３】
2005161240.tif 000005
【図４】
2005161240.tif 000006
【図５】
2005161240.tif 000007
【図６】
2005161240.tif 000008
【図７】
2005161240.tif 000009
【図８】
2005161240.tif 000010